(57)【特許請求の範囲】
【請求項１】
純水と塩化ナトリウムで生成される殺菌原液を貯える原液タンクと、隔膜により隔てられた陽極板および陰極板を有する電解槽と、前記陽極板と前記陰極板に電気を供給する電源装置と、前記電解槽へ前記殺菌原液を送り込むポンプを有する通液路を設け、水道水および前記電解槽で生成された前記陽極板側の電解水すなわち酸性水および前記陰極板側の電解水すなわちアルカリ性水が流水する通水路に流水量を調整するバルブを設け、前記通水路に水道水および前記バルブによって中性域になるように調整された電解中性水との配合割合を調整するコックを設けた電解中性水生成機。
【請求項２】
酸性水およびアルカリ性水の流水量を調整するバルブと、水道水および混合した電解中性水との配合割合を調整するコックとの間に、ｐＨ検出手段および前記バルブの開閉を調整する制御手段とを設け、前記ｐＨ検出手段の結果を前記制御手段へ送り、この制御手段で前記バルブの開閉を調整するようにした請求項１記載の電解中性水生成機。
【請求項３】
塩化ナトリウムを投入するための開口部を設けた原液タンクと、水道水等を純水にする純水器を設け、この純水器から前記純水を前記原液タンクに送り込む通水路を設けた請求項１または２記載の電解中性水生成機。
【請求項４】
塩化ナトリウムを保管する塩化ナトリウム保管タンクと、この塩化ナトリウム保管タンクから前記塩化ナトリウムを原液タンクに投入するためのバルブを有した投入路を設けた請求項１、２または３記載の電解中性水生成機。
【請求項５】
原液タンクの内部に殺菌原液の液位置を検出する液位置検出手段および塩化ナトリウムの濃度を検出する塩化ナトリウム濃度検出手段を設け、純水器から純水が吐水される通水路にバルブを設け、前記液位置検出手段で設定された液位置以下になったとき、または前記塩化ナトリウム濃度検出手段により、ある設定濃度でない濃度を検出したときに前記原液タンクの内部に設けたバルブの開閉を調整する制御手段により、前記塩化ナトリウム保管タンクから前記塩化ナトリウムを投入する量、または前記純水器から前記純水を吐水する量を調整するようにした請求項１、２、３または４記載の電解中性水生成機。
【請求項６】
殺菌水を吐水する吐水路にコックを設け、酸性水およびアルカリ性水が吐水する通水路のそれぞれに吐水路を設け、この吐水路のそれぞれが前記コックと接続している請求項１、２、３、４または５記載の電解中性水生成機。
【発明の詳細な説明】
【０００１】
【発明の属する技術分野】
本発明は、水と塩化ナトリウムとで構成される電解液を電解することによって次亜塩素酸および次亜塩素酸イオンを含む中性域の殺菌水を生成する電解中性水生成機に関する。
【０００２】
【従来の技術】
従来、この種の電解中性水生成機は、特開平０６−２９２８９２号に記載されたものが知られている。
【０００３】
以下、その電解中性水生成機について図７を参照しながら説明する。
図に示すように、純水と塩化ナトリウムと塩酸等の酸で生成される殺菌原液１０１を貯える原液タンク１０２と、陽極板１０３および陰極板１０４を有する電解槽１０５と、前記陽極板１０３および前記陰極板１０４に電気を供給する電源装置１０６と、前記電解槽１０５の下方へ前記殺菌原液１０１を送り込むポンプ１０７を有する通液路１０８を設け、水道水１０９と前記電解槽１０５の上方で、生成された電解中性水１１０との配合割合を調整するコック１１１を有する通水路１１２を設け、前記コック１１１から殺菌水１１３を吐水する吐水路１１４を設けている。
【０００４】
【発明が解決しようとする課題】
このような従来の電解中性水生成機では、まず、殺菌原液１０１を純水と塩化ナトリウムとで電気分解すると陽極板１０３付近では殺菌効果がある次亜塩素酸および次亜塩素酸イオンが生成され、陰極板１０４付近では水酸化ナトリウムが生成され、それらが混合して生成される電解水は、酸性である次亜塩素酸および次亜塩素酸イオンよりアルカリ性である水酸化ナトリウムの方がアルカリ性度が強いので結果全体としてはアルカリ性になるが、前記生成された電解水は中性域であるのと比べると殺菌力は弱い。というのは、殺菌効果がある次亜塩素酸および次亜塩素酸イオンを含む溶液は、中性域（弱酸性方向）で特に殺菌効果がある次亜塩素酸の割合が次亜塩素酸イオンより著しく多くなるためであることが一般的に知られている（図８参照）。上記の理由から純水と塩化ナトリウムとを電気分解すると生成された電解水はアルカリ性になるので殺菌効果が有効に作用する中性域に近づけるため殺菌原液１０１に塩酸等の酸を加えて中性域にしなければ効果が少ないという課題があり、塩酸等の酸を殺菌原液に加えなくても前記殺菌原液を電気分解して生成される電解水を中性域にすることができる電解中性水生成機が要求されている。
【０００５】
また、殺菌原液１０１を電気分解して生成される電解水が常に中性域で吐水されているのかどうか分からないという課題があり、殺菌原液を電気分解して生成される電解水が常に中性域で吐水することができる電解中性水生成機が要求されている。
【０００６】
また、殺菌原液１０１を補充する際、決められた配合割合で調整された殺菌原液１０１をあらかじめ生成して使用しなければいけないという課題があり、もっと手軽に簡単に入手できる材料で殺菌原液を生成することができる電解中性水生成機が要求されている。
【０００７】
また、電解槽１０５内で生成され吐水される電解水は中性域の殺菌効果のある次亜塩素酸および次亜塩素酸イオンを含む電解水だけであり、吐水される電解水は殺菌の効果しかなく、また殺菌効果においても特に殺菌効果がある次亜塩素酸は現時点では食品添加物に指定されていないので、キャベツやトマト等の食品への直接的な殺菌はできず、手洗いおよび包丁やまな板等の器具の殺菌しか使用できず、殺菌する対象が限定されているという課題があり、一般的に知られている電解水には、殺菌や消毒等の効果があるとされている酸性水および油や蛋白質の汚れ分解や脱臭等の効果があるとされているアルカリ性水があり、それらの電解水をも生成することができる電解中性水生成機が要求されている。
【０００８】
本発明は、このような従来の課題を解決するものであり、塩酸等の酸を殺菌原液に加えなくても前記殺菌原液を電気分解して生成される電解水を中性域にすることができ、また、殺菌原液を電気分解して生成される電解水が常に中性域で吐水することができ、また、もっと手軽に簡単に入手できる材料で殺菌原液を生成することができ、また、一般的に知られている電解水には、殺菌や消毒等の効果があるとされている酸性水、および油や蛋白質の汚れ分解や脱臭等の効果があるとされているアルカリ性水があり、それらの電解水をも生成することができる電解中性水生成機を提供することを目的としている。
【０００９】
【課題を解決するための手段】
本発明の電解中性水生成機は上記目的を達成するために、純水と塩化ナトリウムで生成される殺菌原液を貯える原液タンクと、隔膜により隔てられた陽極板および陰極板を有する電解槽と、前記陽極板と前記陰極板に電気を供給する電源装置と、前記電解槽へ前記殺菌原液を送り込むポンプを有する通液路を設け、水道水および前記電解槽で生成された前記陽極板側の電解水すなわち酸性水および前記陰極板側の電解水すなわちアルカリ性水および前記陰極板側の電解水すなわちアルカリ性水が流水する通水路に流水量を調整するバルブを設け、前記通水路に水道水および前記バルブによって中性域になるように調整された電解中性水との配合割合を調整するコックを設けたものである。
【００１０】
本発明によれば、塩酸等の酸を殺菌原液に加えなくても前記殺菌原液を電気分解して生成される電解水を中性域にすることができる電解中性水生成機が得られる。
【００１１】
また他の手段は、中性水およびアルカリ性水の流水量を調整するバルブと、水道水および混合した電解中性水との配合割合を調整するコックとの間に、ｐＨ検出手段および前記バルブの開閉を調整する制御手段とを設け、前記ｐＨ検出手段の結果を前記制御手段へ送り、この制御手段で前記バルブの開閉を調整するようにしたものである。
【００１２】
そして本発明によれば、殺菌原液を電気分解して生成される電解水を常に中性域で吐水することができる電解中性水生成機が得られる。
【００１３】
また他の手段は、塩化ナトリウムを投入するための開口部を設けた原液タンクと、水道水等を純水にする純水器を設け、この純水器から前記純水を前記原液タンクに送り込む通水路を設けるようにしたものである。
【００１４】
そして本発明によれば、もっと手軽に簡単に入手できる材料で殺菌原液を生成することができる電解中性水生成機が得られる。
【００１５】
また他の手段は、塩化ナトリウムを保管する塩化ナトリウム保管タンクと、この塩化ナトリウム保管タンクから前記塩化ナトリウムを原液タンクに投入するためのバルブを有した投入路を設けるようにしたものである。
【００１６】
そして本発明によれば、電解質である塩化ナトリウムを殺菌原液へ投入する作業を容易にすることができるので、もっと手軽に簡単に入手できる材料で殺菌原液を生成することができる電解中性水生成機が得られる。
【００１７】
また他の手段は、原液タンクの内部に殺菌原液の液位置を検出する液位置検出手段および塩化ナトリウムの濃度を検出する塩化ナトリウム濃度検出手段を設け、純水器から純水が吐水される通水路にバルブを設け、前記液位置検出手段で設定された液位置以下になったとき、または前記塩化ナトリウム濃度検出手段により、ある設定濃度でない濃度を検出したときに前記原液タンクの内部に設けたバルブの開閉を調整する制御手段により、前記塩化ナトリウム保管タンクから前記塩化ナトリウムを投入する量、または前記純水器から前記純水を吐水する量を調整するようにしたものである。
【００１８】
そして本発明によれば、殺菌原液を自動的に生成することができ、もっと手軽に簡単に入手できる材料で殺菌原液を生成することができる電解中性水生成機が得られる。
【００１９】
また他の手段は、殺菌水を吐水する吐水路にコックを設け、酸性水およびアルカリ水が吐水する通水路のそれぞれに吐水路を設け、この吐水路のそれぞれが前記コックと接続したものである。
【００２０】
そして本発明によれば、一般的に知られている電解水には、殺菌や消毒等の効果があるとされている酸性水および油や蛋白質の汚れ分解や脱臭等の効果があるとされているアルカリ性水があり、それらの電解水をも生成し得ることができる電解中性水生成機が得られる。
【００２１】
【発明の実施の形態】
本発明は、純水と塩化ナトリウムで生成される殺菌原液を貯える原液タンクと、隔膜により隔てられた陽極板および陰極板を有する電解槽と、前記陽極板と前記陰極板に電気を供給する電源装置と、前記電解槽へ前記殺菌原液を送り込むポンプを有する通液路を設け、水道水および前記電解槽で生成された前記陽極板側の電解水すなわち酸性水および前記陰極板側の電解水すなわちアルカリ性水が流水する通水路に流水量を調整するバルブを設け、前記通水路に水道水および前記バルブによって中性域になるように調整された電解中性水との配合割合を調整するコックを設けたものであり、前記コックに流入する前記電解中性水は、殺菌効果がある次亜塩素酸および次亜塩素酸イオンを含有する酸性の性質をもった前記陽極板側の酸性水と、水酸化ナトリウムを含有するアルカリ性の性質をもった前記陰極板側のアルカリ性水が前記バルブによって前記酸性水および前記アルカリ性水の吐水量をあらかじめ調整しているので、塩酸等の酸を前記殺菌原液に加えなくても前記殺菌原液を電気分解して生成される電解水を中性域にすることができ、電解中性水は水道水で希釈されて殺菌水となり吐水されるという作用を有する。
【００２２】
また、酸性水およびアルカリ性水の流水量を調整するバルブと、水道水および混合した電解中性水との配合割合を調整するコックとの間に、ｐＨ検出手段および前記バルブの開閉を調整する制御手段とを設け、前記ｐＨ検出手段の結果を前記制御手段へ送り、この制御手段で前記バルブの開閉を調整するようにしたものであり、前記酸性水と前記アルカリ性水を混合した前記電解中性水を前記ｐＨ検出手段で酸性域、中性域、アルカリ性域を検出し、その結果を前記制御手段に送り、もし中性域でなかった場合前記酸性水および前記アルカリ性水の吐水量を調整する前記バルブの開閉を前記ｐＨ検出手段を前記電解中性水が通過する度に検出および前記バルブの開閉を調整するようにしているので、前記殺菌原液を電気分解して生成される電解水が常に中性域で吐水することができるという作用を有する。
【００２３】
また、塩化ナトリウムを投入するための開口部を設けた原液タンクと、水道水等を純水にする純水器を設け、この純水器から前記純水を前記原液タンクに送り込む通水路を設けたものであり、電解質である前記塩化ナトリウムを前記開口部から使用者が前記原液タンクに投入し、溶媒の前記純水は前記純水器によって前記水道水等の不純物を含んだ水を前記純水にして前記原液タンクに注水できるので、もっと手軽に簡単に入手できる材料で殺菌原液を生成することができる電解中性水生成機が得られる。
【００２４】
また、塩化ナトリウムを保管する塩化ナトリウム保管タンクと、この塩化ナトリウム保管タンクから前記塩化ナトリウムを原液タンクに投入するためのバルブを有した投入路を設けたものであり、前記塩化ナトリウム保管タンクを使用者が手動あるいは半自動的に前記原液タンクに前記塩化ナトリウムを投入することができるので、電解質である前記塩化ナトリウムを殺菌原液へ投入する作業を容易にすることができ、もっと手軽に簡単に入手できる材料で殺菌原液を生成することができるという作用を有する。
【００２５】
また、原液タンクの内部に殺菌原液の液位置を検出する液位置検出手段および塩化ナトリウムの濃度を検出する塩化ナトリウム濃度検出手段を設け、純水器から純水が吐水される通水路にバルブを設け、前記液位置検出手段で設定された液位置以下になったとき、または前記塩化ナトリウム濃度検出手段により、ある設定濃度でない濃度を検出したときに前記原液タンクの内部に設けたバルブの開閉を調整する制御手段により、前記塩化ナトリウム保管タンクから前記塩化ナトリウムを投入する量、または前記純水器から前記純水を吐水する量を調整するようにしたものであり、前記殺菌原液があらかじめ決められた液位置以下になったとき、前記液位置検出手段から前記塩化ナトリウム濃度検出手段を作動させ前記殺菌原液の前記塩化ナトリウムの濃度を検出し、その結果を前記制御手段へ送り、もしあらかじめ決められた濃度でなかった場合前記塩化ナトリウムの投入量あるいは純水の注水する量を調整する前記バルブの開閉を、それぞれ常に検出および前記バルブを調整するようにしているので、前記殺菌原液を自動的に生成することができ、もっと手軽に簡単に入手できる材料で殺菌原液を生成することができるという作用を有する。
【００２６】
また、殺菌水を吐水する吐水路にコックを設け、酸性水およびアルカリ水が吐水する通水路のそれぞれに吐水路を設け、この吐水路のそれぞれが前記コックと接続している構成としたものであり、前記コックに前記陽極板側で生成される前記酸性水および前記陰極板側で生成される前記アルカリ性水および水道水で希釈される電解中性水が流水されるようになっており、前記コックによって希望の電解水を得られるので、一般的に知られている電解水には、殺菌や消毒等の効果があるとされている酸性水および油や蛋白質の汚れ分解や脱臭等の効果があるとされているアルカリ性水があり、それらの電解水をも生成し得ることができるという作用を有する。
【００２７】
以下、本発明の実施例について図面を参照しながら説明する。
【００２８】
【実施例】
（実施例１）
図１に示すように、純水と塩化ナトリウムで生成される殺菌原液１を貯える原液タンク２と、隔膜３により隔てられた陽極板４および陰極板５を有する電解槽６と、前記陽極板４と前記陰極板５に電気を供給する電源装置７と、前記電解槽６へ前記殺菌原液１を送り込むポンプ８を有する通液路９を設け、水道水１０および前記電解槽６で生成された前記陽極板４側の電解水すなわち酸性水１１と、前記陰極板５側の電解水すなわちアルカリ性水１２とを混合した電解中性水１３との配合割合を調整するコック１４を有する通水路１５を設け、前記酸性水１１および前記アルカリ性水１２が流水する前記通水路１５に流水量を調整するバルブ１６を設け、前記コック１４から殺菌水１７を吐水する吐水路１８を設けたものである。
【００２９】
上記の構成により、ポンプ８によって原液タンク２から殺菌原液１が陽極板４および陰極板５および隔膜３を有した電解槽６へ送り込まれ、前記電解槽６内で殺菌原液１を前記陽極板４および前記陰極板５に電源装置７より電気を通電させると、前記陽極板４および前記陰極板５と前記殺菌原液１に含まれるイオンおよび電子のやり取りが行われ、前記陽極板４側では次亜塩素酸および次亜塩素酸イオンを含む酸性水１１が生成され、前記陰極板５側では水酸化ナトリウムを含むアルカリ性水１２が生成され、前記酸性水１１および前記アルカリ性水１２がバルブ１６によって中性域になるように調整された電解中性水１３が前記コック１４に流水し、前記電解中性水１３は水道水１０で希釈されて殺菌水１７となり吐水される。
【００３０】
殺菌効果がある次亜塩素酸および次亜塩素酸イオンを含む溶液は、中性域（弱酸性方向）で特に殺菌効果がある次亜塩素酸の割合が次亜塩素酸イオンより著しく多くなるため、生成される酸性水１１およびアルカリ性水１２を混合した電解中性水１３をバルブ１６で中性域になるように調整しているので、最適なところで最大の効果を得られる殺菌水１７を得ることができる。
【００３１】
なお、実施例では、純水および塩化ナトリウムの純度を特に記載していないが純度は高ければ高い程よく、特に塩化ナトリウムの場合日本薬局方の表示９９．５％以上が望ましい。
【００３２】
また、陽極板４および陰極板５の材質は特に記載していないが、基材としてはチタン等の耐食性の良いもの、また、特に陽極板４に関しては基材がチタンの場合チタン自体が陽イオンなので陽極板４を通電させた場合、陽極すなわちプラス電極とプラスイオンのためチタンが溶出するので、チタンの溶出を防ぐために白金等のマイナスイオン系の材質をメッキするのが望ましい。
【００３３】
また、生成された電解中性水１３は水道水１０で希釈されると説明したが、前記水道水１０は井戸水等でもよく、使用者が常に使用している水なら何でもよい。
【００３４】
（実施例２）
図２を参照しながら説明する。なお第１実施例と同一箇所には同一番号を付し、その詳細な説明は省略する。
【００３５】
図２において、酸性水１１およびアルカリ性水１２の流水量を調整するバルブ１６と、水道水１０および混合した電解中性水１３との配合割合を調整するコック１４との間にｐＨ検出手段１９および前記バルブ１６の開閉を調整する制御手段２０とを設け、前記ｐＨ検出手段１９の結果を前記制御手段２０へ送り、前記制御手段２０で前記バルブ１６の開閉を調整するものである。
【００３６】
上記の構成により、酸性水１１およびアルカリ性水１２を混合した電解中性水１３は前記ｐＨ検出手段１９で酸性域、中性域、アルカリ性域を検出し、制御手段２０で前記電解中性水１３が常に中性域になるようにバルブ１６の開閉を調整して前記酸性水１１および前記アルカリ性水１２を吐水している。
【００３７】
ｐＨ検出手段１９でもし中性域でなかった場合、酸性水１１およびアルカリ性水１２の吐水量を調整するバルブ１６の開閉をそれぞれ前記ｐＨ検出手段１９を電解中性水１３が通過する度に検出および前記バルブ１６の開閉を調整し中性域になるようにしているので、殺菌原液を電気分解して生成される電解中性水１３を常に中性域で吐水することができる。
【００３８】
なお、電解中性水１３の酸性域、中性域、アルカリ性域を、ｐＨ検出手段１９でｐＨすなわち水素イオン濃度で判定していたが、値が高ければ高いほど酸性域でありまた低ければ低いほどアルカリ性域であるという酸化還元電位というのだけを判定基準にしてもよく、またｐＨと酸化還元電位の両方を一緒に判定基準にしてもよい。
【００３９】
また、水道水１０は井戸水等でもよく、使用者が常に使用している水なら何でもよい。
【００４０】
（実施例３）
図３を参照しながら説明する。なお第１および第２実施例と同一箇所には同一番号を付し、その詳細な説明は省略する。
【００４１】
図３において、塩化ナトリウム２１を投入するための開口部２２を設けた原液タンク２と、水道水等２３を純水２４にする純水器２５を設け、この純水器２５から前記純水２４を前記原液タンク２に送り込む通水路２６を設けたものである。
【００４２】
上記の構成により、電解質である塩化ナトリウム２１を原液タンク２に開口部２２から使用者が投入し、溶媒の純水２４は純水器２５によって不純物を含んだ水道水等２３を純水２４にして前記原液タンク２に吐水して殺菌原液１を生成している。
【００４３】
殺菌原液１の組成である電解質の塩化ナトリウム２１および溶媒の純水２４を原液タンク２に補充する際、前記塩化ナトリウム２１については原液タンク２の開口部２２から使用者が簡単に投入でき、前記純水２４については純水器２５に直接水道水等２３を接続していれば、必要なとき前記純水器２５を作動させ前記純水２４を注水させればよく、また、前記塩化ナトリウム２１および前記水道水等２３はどこにでもある材料なので、あらかじめ専用の前記殺菌原液１を生成させて原液タンク２に補充しなくてもよく、前記殺菌原液１が不足次第随時開口部２２から薬局および食料品販売店等から購入できる前記塩化ナトリウム２１を投入し家庭等どこにでもある前記水道水等２３を前記純水器２５に接続させ前記純水器２５を作動させれば前記純水２４を注水できるので、手軽に簡単に入手できる材料で殺菌原液を生成することができる。
【００４４】
なお、実施例では、薬局および食料品販売店等から購入した塩化ナトリウム２１と説明したが、著しく純度が低い塩化ナトリウム２１すなわち何か混合した塩化ナトリウムについては殺菌効果が劣るので、日本薬局方の表示９９．５％以上が望ましい。
【００４５】
また、純水器２５に注水する溶媒の水は水道水等２３と説明したが、井戸水および中水等を意味し、使用者が常に使用している水なら何でもよい。
【００４６】
また、殺菌原液１が不足した場合、随時開口部２２から塩化ナトリウム２１を投入し純水器２５を作動させ純水２４を注水させればよいと説明したが、殺菌原液１があらかじめ決められた組成の配合割合であれば、塩化ナトリウム２１の投入および純水２４の注水は殺菌原液が全てなくなってからでもある程度なくなってからでもどちらでもよい。
【００４７】
また、塩化ナトリウム２１の純度を特に記載していないが純度は高ければ高い程よく、日本薬局方の表示９９．５％以上が望ましい。
【００４８】
（実施例４）
図４を参照しながら説明する。なお第１、２および第３実施例と同一箇所には同一番号を付し、その詳細な説明は省略する。
【００４９】
図４において、塩化ナトリウム２１を保管する塩化ナトリウム保管タンク２８と、この塩化ナトリウム保管タンク２８から前記塩化ナトリウム２１を原液タンク２に投入するためのバルブ２７を有した投入路２９を設けたものである。
【００５０】
上記の構成により、原液タンク２に塩化ナトリウム２１を塩化ナトリウム保管タンク２８に有しているバルブ２７を使用者が自動あるいは半自動に開閉して投入し、また、純水２４を注水して殺菌原液１を生成している。
【００５１】
殺菌原液１の組成である電解質の塩化ナトリウム２１を原液タンク２に投入するため塩化ナトリウム保管タンク２８に保管し、必要なとき使用者が前記塩化ナトリウム保管タンク２８に有しているバルブ２７を手動で開閉あるいはある一定時間開閉するように半自動に開閉させているので、使用者が前記塩化ナトリウム２１が不足した時点でその都度わざわざ前記塩化ナトリウム２１を持参して前記原液タンク２へ投入しなくてもよいので、もっと手軽に簡単に入手できる材料で殺菌原液１を生成することができる。
【００５２】
また、塩化ナトリウム２１の純度を特に記載していないが純度は高ければ高い程よく、日本薬局方の表示９９．５％以上が望ましい。
【００５３】
（実施例５）
図５を参照しながら説明する。なお第１、２、３および第４実施例と同一箇所には同一番号を付し、その詳細な説明は省略する。
【００５４】
図５において、原液タンク２の内部に殺菌原液１の液位置を検出する液位置検出手段３０および塩化ナトリウム２１の濃度を検出する塩化ナトリウム濃度検出手段３１を設け、純水器２５から純水２４が吐水される通水路２６にバルブ３２を設け、前記液位置検出手段３０で設定された液位置以下になったとき、または前記塩化ナトリウム濃度検出手段３１により、ある設定濃度でない濃度を検出したときに前記原液タンク２の内部に設けたバルブ２７、３２の開閉を調整する制御手段３３により前記塩化ナトリウム保管タンク２８から前記塩化ナトリウム２１を投入する量、または前記純水器２５から前記純水２４を吐水する量を調整するものである。
【００５５】
上記の構成により、決められた液位置以下になったとき、液位置検出手段３０から塩化ナトリウム濃度検出手段３１を作動させ殺菌原液１の塩化ナトリウム２１の濃度を検出し、その結果を制御手段３３へ送り、もしあらかじめ決められた濃度でなかった場合前記塩化ナトリウム２１を投入する量あるいは純水２４の注水量を調整するバルブ２７、３２の開閉を、それぞれ検出および前記バルブ２７、３２を調整し、また、純水２４を注水して殺菌原液１を生成している。
【００５６】
殺菌原液の組成である電解質の塩化ナトリウム２１を投入する量および溶媒である純水２４を注水する量を、前記殺菌原液１が決められた液位置以下になったら、塩化ナトリウム濃度検出手段３１を作動させて結果を制御手段３３へ送りバルブ２７、３２の開閉度を調整させているので、使用者が殺菌原液１の有無および生成を気にすることなく前記殺菌原液１がなくなりそうになったら自動的に生成し補充されるので、もっと手軽に簡単に殺菌原液を生成することができる。
【００５７】
なお、実施例では、決められた液位置以下になったとき塩化ナトリウム濃度検出手段３１を作動させるように説明したが、生成された殺菌原液１を長時間放置した場合、何らかの影響で殺菌原液１の組成の配合割合があらかじめ決められた配合割合になっていない場合も考えられるので、前記塩化ナトリウム濃度検出手段３１を常に作動させてもよい。
【００５８】
また、塩化ナトリウム２１の純度を特に記載していないが純度は高ければ高い程よく、日本薬局方の表示９９．５％以上が望ましい。
【００５９】
（実施例６）
図６を参照しながら説明する。なお第１、２、３、４および第５実施例と同一箇所には同一番号を付し、その詳細な説明は省略する。
【００６０】
図６において、殺菌水１７を吐水する吐水路１８にコック３４を設け、酸性水１１およびアルカリ性水１２が吐水する通水路１５のそれぞれに吐水路３５を設け、この吐水路３５のそれぞれが前記コック３４と接続されている。
【００６１】
上記の構成により、コック３４に電解槽の陽極板側で生成される酸性水１１および陰極板側で生成されるアルカリ性水１２および水道水１０で希釈される電解中性水１３、以上３種類の電解水が流水されるようになっており、前記コック３４によって希望の電解水が得られる。
【００６２】
コック３４を目的の電解水が吐水されるようにセットすれば、酸性水、アルカリ性水、電解中性水、以上３種類の電解水が前記コック３４より吐水されるようになっているので、手荒れおよび排水の心配がない殺菌効果がある電解中性水１３の他に一般的に知られている電解水には、殺菌や消毒等の効果があるとされている酸性水１１および油や蛋白質の汚れ分解や、脱臭等の効果があるとされているアルカリ性水１２があり、それらの電解水をも生成し、選択して吐水することができる。
【００６３】
【発明の効果】
以上の実施例から明らかなように、本発明によれば、塩酸等の酸を殺菌原液に加えなくても殺菌原液を電気分解して生成される電解水を中性域にすることができる電解中性水生成機を提供することができる。
【００６４】
また、殺菌原液を電気分解して生成される電解水が常に中性域で吐水することができる電解中性水生成機を提供できる。
【００６５】
また、もっと手軽に簡単に入手できる材料で殺菌原液を生成することができる電解中性水生成機を提供できる。
【００６６】
また、電解質である塩化ナトリウムを殺菌原液へ投入する作業を容易にすることができるので、もっと手軽に簡単に入手できる材料で殺菌原液を生成することができる電解中性水生成機を提供できる。
【００６７】
また、殺菌原液を自動的に生成することができるので、もっと手軽に簡単に入手できる材料で殺菌原液を生成することができる電解中性水生成機を提供できる。
【００６８】
また、一般的に知られている電解水には、殺菌や消毒等の効果があるとされている酸性水および油や蛋白質の汚れ分解や脱臭等の効果があるとされているアルカリ性水があり、それらの電解水をも生成し得ることができる電解中性水生成機を提供できる。
【図面の簡単な説明】
【図１】本発明の実施例１の電解中性水生成機の断面図
【図２】同実施例２の電解中性水生成機の断面図
【図３】同実施例３の電解中性水生成機の断面図
【図４】同実施例４の電解中性水生成機の断面図
【図５】同実施例５の電解中性水生成機の断面図
【図６】同実施例６の電解中性水生成機の断面図
【図７】従来の電解中性水生成機の断面図
【図８】電解酸化水の殺菌機序を表す図
【符号の説明】
１                殺菌原液
２                原液タンク
３                隔膜
４                陽極板
５                陰極板
６                電解槽
７                電源装置
８                ポンプ
９                通液路
１０              水道水
１１              酸性水
１２              アルカリ性水
１３              電解中性水
１４、３４        コック
１５              通水路
１６、２７、３２  バルブ
１７              殺菌水
１８、３５        吐水路
１９              ｐＨ検出手段
２０、３３        制御手段
２１              塩化ナトリウム
２２              開口部
２３              水道水等
２４              純水
２５              純水器
２６              通水路
２８              塩化ナトリウム保管タンク
２９              投入路
３０              液位置検出手段
３１              塩化ナトリウム濃度検出手段
【図１】
0003964018.tif 000002
【図２】
0003964018.tif 000003
【図３】
0003964018.tif 000004
【図４】
0003964018.tif 000005
【図５】
0003964018.tif 000006
【図６】
0003964018.tif 000007
【図７】
0003964018.tif 000008
【図８】
0003964018.tif 000009